【事件の表示】
　特願２０００−１７７２７７「入力装置」拒絶査定不服審判事件〔平成１３年１２月２６日出願公開、特開２００１−３５６８６９〕について、次のとおり審決する。
【結　論】
　本件審判の請求は、成り立たない。
【理　由】
１．手続の経緯 
　本願は平成１２年６月１３日の出願であって、平成１８年８月７日付けで拒絶査定がなされ、これに対して平成１８年９月１９日に拒絶査定に対する審判が請求されるとともに、同年９月２８日付けで手続補正がなされたものである。 
　 
２．平成１８年９月２８日付け手続補正について 
［補正却下の決定の結論］ 
　平成１８年９月２８日付け手続補正（以下「本件補正」という。）を却下する。 
［理由］ 
　補正後の本願発明 
　本件補正により、補正前の特許請求の範囲の請求項１を引用する請求項２は、補正後の請求項１として次のとおり補正された。 
「多数の入力キーを有するキーボードと、 
　そのキーボードの手前に設置されたタッチパッドと、 
　前記キーボードからのキー入力を監視するキー入力監視手段と、 
　設定された時間を計時するタイマー手段と、 
　前記キーボード並びに前記タッチパッドから並列に入力され、前記キーボードからの前記キー入力を受理し、前記タッチパッドからの入力を、前記キー入力監視手段からのタッチパッド入力通知Ｏｎ／Ｏｆｆ信号によって作動するスイッチを介して受理し、前記キー入力監視手段により前記キーボードからのキー入力を検知すると前記タッチパッド入力通知Ｏｆｆ信号により前記スイッチを作動して前記タッチパッドからの入力を禁止状態にするとともに、前記タイマー手段の計時を開始し、そのタイマー手段の設定時間内に再びキー入力があると、前記タッチパッドからの入力禁止状態を維持したまま前記設定時間を更新して再び計時を開始し、前記設定時間内にキー入力が無いと、前記キー入力監視手段からの前記タッチパッド入力通知Ｏｎ信号により前記スイッチを作動して前記タッチパッドからの入力禁止状態を解除するように構成されたオペレーションシステムとを備え、 
　前記オペレーションシステムから送られるタイマーメッセージに同期して前記タイマー手段の計時が行われることを特徴とする入力装置。」 
　 
　上記補正は、本件補正前の請求項２に記載した発明を特定するために必要な事項である「前記キー入力監視手段により前記キーボードからのキー入力を検知すると前記タッチパッドからの入力を禁止状態にするとともに、前記タイマー手段の計時を開始し、そのタイマー手段の設定時間内に再びキー入力があると、前記タッチパッドからの入力禁止状態を維持したまま前記設定時間を更新して再び計時を開始し、前記設定時間内にキー入力が無いと、前記キー入力監視手段からの前記タッチパッド入力通知Ｏｎ信号により前記タッチパッドからの入力禁止状態を解除するように構成された制御手段」を「前記キーボードからの前記キー入力を受理し、前記タッチパッドからの入力を、前記キー入力監視手段からのタッチパッド入力通知Ｏｎ／Ｏｆｆ信号によって作動するスイッチを介して受理し、前記キー入力監視手段により前記キーボードからのキー入力を検知すると前記タッチパッド入力通知Ｏｆｆ信号により前記スイッチを作動して前記タッチパッドからの入力を禁止状態にするとともに、前記タイマー手段の計時を開始し、そのタイマー手段の設定時間内に再びキー入力があると、前記タッチパッドからの入力禁止状態を維持したまま前記設定時間を更新して再び計時を開始し、前記設定時間内にキー入力が無いと、前記キー入力監視手段からの前記タッチパッド入力通知Ｏｎ信号により前記スイッチを作動して前記タッチパッドからの入力禁止状態を解除するように構成されたオペレーションシステム」と限定し、「前記制御手段から定期的に送られるタイマーメッセージに同期して」を「前記オペレーションシステムから送られるタイマーメッセージに同期して」と限定するものであって、特許法第１７条の２第４項第２号の特許請求の範囲の減縮を目的とするものに該当する。 
　
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。 
　 
（１）引用刊行物 
　原査定の拒絶の理由に引用された、本願の出願日前に頒布された刊行物「特開平１０−１３３７９６号公報」（以下「引用刊行物」という。）には、図面とともに以下の記載がある。 
（イ）「【特許請求の範囲】 
【請求項１】 座標入力装置及びキーボード入力装置と、記憶装置、演算装置、表示装置を備える電子機器において、 
前記座標入力装置からの入力を制御する座標入力コントローラと、 
前記キーボード入力装置からの入力を制御するキーボードコントローラと、
前記キーボードコントローラにより前記キーボード入力装置からの入力が検知されると、前記座標入力コントローラにおいて、前記座標入力装置からの入力を無効とする座標入力遮断手段を備えたことを特徴とする電子機器。 
【請求項２】 前記座標入力遮断手段は、一定時間該キーボード入力装置からの入力がない場合には、前記座標入力装置からの入力を無効とする処理を解除することを特徴とする前記請求項１記載の電子機器。」（第２頁） 
　 
（ロ）「【０００１】 
【発明の属する技術分野】本発明は、座標入力装置を備えた入力装置に関し、特に携帯端末装置やノートパソコン等に関する。」（第２頁） 
　 
（ハ）「【０００８】 
【発明が解決しようとする課題】ノートパソコン等にトラックパッドを備える場合、操作が行いやすいように、図１に示すようにキーボードの手前に配置されることが多い。図２のように手をキーボードに向けると、自然に親指がトラックパッドの位置にくるため、トラックパッドの操作を行う時に指の移動量が少なくて済む。 
【０００９】しかしそのために、連続したキー操作を行っている途中で、トラックパッドを操作する意志がない場合でも、不用意に指がパッドに触れてしまうと、トラックパッドのタッチパッド部は触れただけで動作するため、画面上の入力ポインタ（以下マウスカーソルを呼ぶ）を意図せず動かしてしまうということが起こり得る（図３）。 
【００１０】これを避けるには、トラックパッドを全く無効にするよう最初に設定を行うか、常にトラックパッドのパッド面に手が触れることがないように注意を払いながらキー入力を行う必要があり、キー入力に集中できないという問題があった。 
【００１１】本発明はこのような問題を鑑みてなされたものであり、キー入力中はトラックパッドの入力を無効とすることにより、キー入力中にマウスカーソルが不意に移動することを防止するものである。
【００１２】
【課題を解決するための手段】本発明の請求項１によれば、座標入力装置及びキーボード入力装置と、記憶装置、演算装置、表示装置を備える電子機器において、前記座標入力装置からの入力を制御する座標入力コントローラと、前記キーボード入力装置からの入力を制御するキーボードコントローラと、前記キーボードコントローラにより前記キーボード入力装置からの入力が検知されると、前記座標入力コントローラにおいて、前記座標入力装置からの入力を無効とする座標入力遮断手段を備えることによって、上記課題を解決する。
【００１３】本発明の請求項２によれば、前記座標入力遮断手段は、一定時間該キーボード入力装置からの入力がない場合には、前記座標入力装置からの入力を無効とする処理を解除することにより、上記課題を解決する。」（第２〜３頁） 
　 
（ニ）「【００１７】 
【発明の実施の形態】以下、図面を用いて本発明を詳細に説明する。図１はトラックパッドが内蔵された機器の一例であるノートパソコンである。なお、本実施形態ではノートパソコンにおいて適用した場合を説明するが、本発明はこれに限定されるものではない。」（第３頁） 
　 
（ホ）「【００２９】本案のキーボード／マウスコントローラのデータ制御図が図９である。基本的に図８の従来のマウス／キーボードコントローラに、タッチパッドの入力を制御するための制御装置を備える。タッチパッドデータ入力制御コントロール手段９−１０は、モード設定記憶手段９−１１、設定時間記憶手段９−１２、時間計測手段９−１３、遮断制御手段９−１４、音声／光制御手段９−１５、マウス監視手段９−１６、キーボード監視手段９−１７を備えている。 
【００３０】モード設定記憶手段９−１１は２つのレジスタからなり、各種モードを記憶するＭＲレジスタと、タッチパッドが無効になってから有効になるまでの時間を格納するＣＲレジスタがある。」（第４頁） 
　 
（ヘ）「【００３６】ＣＲレジスタは時間設定レジスタであり、タッチパッドが無効になってから、キー入力がない場合に、タイムアウトによりタッチパッドが有効になるまでの時間を設定する。本実施形態では８ビット構成としたため、２５６段階のセットが可能で、実際の時間は時間計測手段のカウンタに入力するクロックで決定される。 
【００３７】例えば、最大で１０秒を設定できるようにするには、１０秒で最大値２５６をセットする仕様にすればよく、その場合１カウントあたりおよそ０．０４ｓである。よって２５Ｈｚのクロックパルスを用意し、カウンタをドライブすればよい。 
【００３８】時間計測手段はカウンタである。このカウンタは前述のＣＲレジスタと関係しており、ＣＲレジスタと同じビット長のカウンタである。クロックパルスは前述のように、ＣＲレジスタに設定する時間が最大でどれだけの時間にするかということに依存する。前述のように８ビットのカウンタを使って最大で１０秒をセットするには、カウンタ２の８乗の２５６カウントした時が１０秒計測できればよいので、２５．６Ｈｚのクロックパルスでドライブする。 
【００３９】遮断制御手段は前述のように図１１のような構成になっており、ＭＲレジスタのＯＳビット、ＴＣＥビットにより、有効／無効等の設定が可能である。実際の遮断の信号の生成はソフトウェアにより行う。ソフトウェアでは図１３、図１４に示すフローチャートにもとづいて行われる。図１３、図１４については後に詳述する。 
【００４０】遮断信号は０でタッチパッド無効、１でタッチパッド有効であり、ここで論理演算された信号は再びタッチパッド入力制御コントロール手段のＩ/Ｏポートに入力され、最終的なタッチパッドデータ遮断制御信号として、キーボード／マウスコントローラ内部で処理される。この信号が０の時、以下キーボード／マウスコントローラは、タッチパッドデータをシステムコントローラに渡さない。これは、キーボード／マウスコントローラのソフトウェアにより制御が行われる。具体的にはキーボード／マウスコントローラに対し、マウスデータの無効を設定する。」（第４頁） 
　 
（ト）「【００４７】マウス監視手段およびキーボード監視手段は、トラックパッドおよびキーボードを監視する。キーボード／マウスコントローラは常にキーボードあるいはトラックパッドを監視しているため、入力があった場合には、タッチパッド入力制御コントロール手段もそれを知ることができる。本手段はその情報を用いてソフトウェア制御によりタッチパッドの有効／無効を制御する。
【００４８】タッチパッドデータ制御手段は、図１３、図１４に示すフローチャートに基づいて制御を行う。まず、基本的にコマンド入力監視（Ｓ１）、キー入力監視（Ｓ２）、カウンタ割り込み監視（Ｓ３）、トラックパッド入力監視（Ｓ４）の間をループしており、何らかの入力があった場合にはそれらの処理に移行する。」（第５頁） 
　 
（チ）「【００５１】トラックパッド復帰時間設定では、本発明のタッチパッド入力制御を行う場合に、キー入力を停止してから何秒後に復帰させるかを設定するものである。前述のようにこの値はＣＲレジスタに格納される。この設定方法には数値による設定方法と、操作による設定方法がある。」（第５頁） 
　
（リ）「【００５８】次に図１３のＳ２のキー入力処理について説明する。キー入力があった場合、タッチパッドの有効／無効制御を行うため、以下の処理を行う。タッチパッド入力制御が無効であっても、処理自体は行われ、最終的に遮断制御手段によりその信号が利用されずにタッチパッドを無効にしないだけである。
【００５９】まず、キー入力があると、それがキーボード監視制御によってキーコードがソフトウェア的に得られ、次に得られたキーコードから、それがキーＯＮかキーＯＦＦかどうかをＳ１０で調べる。本実施形態が想定するキーボード／マウスコントローラは、キーボードからのキーＯＮとキーＯＦＦを別々に判別できるものである。」（第６頁）
　 
（ヌ）「【００６１】キーＯＮ時、そのキーコードと同じキーコードが過去にバッファにない場合には、Ｓ１でバッファにキーコードを格納後、Ｓ１に戻る。Ｓ１０において、キー入力がキーＯＦＦであった場合にはＳ１３でまずＯＦＦされたキーのキーＯＮコードが全てバッファから削除され、Ｓ１４でバッファを検索して全てのキーがＯＦＦされたかどうかを調べる。
【００６２】全てのキーがＯＦＦされていない場合にはそのままＳ１に戻り、全てのキーがＯＦＦされた場合には、タッチパッドの無効処理をＳ３２にて行う。
【００６３】まず図１１に示されるタッチパッド遮断信号を生成し、各種制御線との論理演算を行う。論理演算の結果が有効（タッチパッドを無効）であれば、図９のマウス出力バッファにタッチパッドのデータが格納されないように制御する。その後、Ｓ３３で時間計測カウンターをスタートさせ、タイムアウトによりタッチパッドを有効にする処理の準備を行う。このカウンタは減算カウンタになり、セットされる値はＣＲレジスタでの値である。このカウンタは動作中は決められたクロックパルスでドライブされ、０になった時点で以下のカウンタ０割り込みを発生させる。 
【００６４】カウンタ０割り込み処理について説明する。Ｓ３３の時間計測カウンタのスタートにより、時間を計測し、値が０になった時には、内部的にカウンタ０割り込みが発生する。カウンタ０割り込みが発生すると、キーＯＦＦ後設定時間が経過したことになるので、再びＳ５０、Ｓ５１により、タッチパッドを有効にする。Ｓ３０でカウンタのリセットを行い、カウンタをストップさせる。その後、無効にしていたタッチパッド入力信号をＳ３１で有効にし、Ｓ１に戻る。」（第６頁） 
　
（ル）「【００６６】
【発明の効果】本発明の請求項１によれば、キーボードによる入力が開始されると、トラックパッドなどの座標入力装置からの入力を無効化するために、キーボードからの入力途中に、トラックパッドの誤操作により入力カーソルが移動してしまうという問題を回避することができる。
【００６７】本発明の請求項２によれば、キーボードからの入力が一定時間ない場合には、座標入力装置の入力無効化処理を自動的に解除するために、キーボード入力を終了して、トラックパッドなどから入力する際に不具合を生じることなく、請求項１に記載の処理を行うことができる。」（第６頁）
　
（ヲ）図１３には、Ｓ３３（カウンタースタート）の後、Ｓ１（コマンド入力？）に戻ることが記載されている。
　 
　これら引用刊行物の記載から、引用刊行物には、以下の発明（以下、「引用発明」という。）が記載されているものと認められる。 
「キーボードと、キーボードの手前に配置されたタッチパッドを有するトラックパッド、とを備えた入力装置であって、 
　キーボードの入力を監視するキーボード監視手段と、 
　設定時間記憶手段に記憶された時間を計測する、クロックパルスでドライブされる時間計測手段とを有し、 
　キーボード及びトラックパッドの出力は並列に入力され、 
　ソフトウエアにより、キーボード監視手段によりキー入力が監視され、キー入力が停止すると時間計測手段により時間計測が開始されて一定時間の間は遮断信号が０となり、該一定時間後は１となり、更に、キー入力の監視が繰り返され、
　前記遮断信号が０の時にタッチパッドデータの入力は遮断され、前記遮断信号が１の時にタッチパッドデータは入力される、 
　入力装置。」 
　 
（２）対比 
　本願補正発明と引用発明を対比すると、 
　引用発明の「キーボード監視手段」、及び「時間計測手段」は、それぞれ、本願補正発明の「キー入力監視手段」、及び「タイマー手段」に相当する。 
　また、引用発明は遮断信号が０の時にタッチパッドデータは遮断されて入力されることが無く、遮断信号が１の時にタッチパッドデータは入力されるから、引用発明の「遮断信号」は、本願補正発明の「タッチパッド入力通知Ｏｎ／Ｏｆｆ信号」に相当し、引用発明は遮断信号により、タッチパッドデータの出力、及び出力の遮断を行っているから、引用発明は、タッチパッド入力通知Ｏｎ／Ｏｆｆ信号（遮断信号）により作動する本願補正発明の「スイッチ」に相当する手段を有しているということができる。 
　また、引用発明は、キー入力監視手段によりキー入力が監視され、キー入力が停止するとタイマー手段により時間計測が開始されて一定時間タッチパッドの出力を遮断し、更に、キー入力の監視が繰り返されることが記載され、上記記載事項（ハ）（段落【００１３】）（チ）、（ル）（段落【００６７】）には、キーボードからの入力があるとタッチパッドの出力を遮断し、入力が一定時間ない場合に、タッチパッドを有効にすることが記載されているから、引用発明は、キー入力が停止されると、タイマー手段により時間計測がなされていても、時間計測が新たに開始されているものと理解できる。
　
　したがって、両者は 
「多数の入力キーを有するキーボードと、 
　そのキーボードの手前に設置されたタッチパッドと、 
　前記キーボードからのキー入力を監視するキー入力監視手段と、 
　設定された時間を計時するタイマー手段と、 
　前記キーボード並びに前記タッチパッドから並列に入力され、前記キーボードからの前記キー入力を受理し、前記タッチパッドからの入力を、前記キー入力監視手段からのタッチパッド入力通知Ｏｎ／Ｏｆｆ信号によって作動するスイッチを介して受理し、前記キー入力監視手段により前記キーボードからのキー入力を検知すると前記タッチパッド入力通知Ｏｆｆ信号により前記スイッチを作動して前記タッチパッドからの入力を禁止状態にするとともに、前記タイマー手段の計時を開始し、そのタイマー手段の設定時間内に再びキー入力があると、前記タッチパッドからの入力禁止状態を維持したまま前記設定時間を更新して再び計時を開始し、前記設定時間内にキー入力が無いと、前記キー入力監視手段からの前記タッチパッド入力通知Ｏｎ信号により前記スイッチを作動して前記タッチパッドからの入力禁止状態を解除するように構成された、 
　入力装置。」の点で一致し、以下の点で相違している。 
　 
相違点１ 
　本願補正発明は、「前記キーボード並びに前記タッチパッドから並列に入力され、前記キーボードからの前記キー入力を受理し、前記タッチパッドからの入力を、前記キー入力監視手段からのタッチパッド入力通知Ｏｎ／Ｏｆｆ信号によって作動するスイッチを介して受理し、前記キー入力監視手段により前記キーボードからのキー入力を検知すると前記タッチパッド入力通知Ｏｆｆ信号により前記スイッチを作動して前記タッチパッドからの入力を禁止状態にするとともに、前記タイマー手段の計時を開始し、そのタイマー手段の設定時間内に再びキー入力があると、前記タッチパッドからの入力禁止状態を維持したまま前記設定時間を更新して再び計時を開始し、前記設定時間内にキー入力が無いと、前記キー入力監視手段からの前記タッチパッド入力通知Ｏｎ信号により前記スイッチを作動して前記タッチパッドからの入力禁止状態を解除するように構成された」オペレーションシステムを備えているのに対して、引用発明の入力装置は、本願補正発と同様の構成を備えているがオペレーションシステムについては記載がない点。 
　 
相違点２ 
　本願補正発明において、オペレーションシステムから送られるタイマーメッセージに同期して前記タイマー手段の計時が行われるのに対して、引用発明のタイマー手段の計時はクロックパルスにより行われる点。 
　 
（３）当審の判断 
　以下、上記相違点について検討する。 
相違点１について 
　はじめに、相違点１に係る「オペレーションシステム」とは本願の明細書の段落【００１１】等の記載によれば、「オペレーティングシステム」を意味しているところ、本願明細書には、本願補正発明の入力装置において、オペレーティングシステムには、キーボード並びにタッチパッドから並列に入力がなされ、タッチパッドからの入力はスイッチを介してなされることが記載されているが、本願明細書には、「オペレーティングシステム」が、キー入力監視手段によるキーボードからのキー入力の検知によるタッチパッド入力通知Ｏｎ／Ｏｆｆ信号によりスイッチを作動させて、タッチパッドからの入力を禁止状態にし、あるいは、禁止状態を解除すること、オペレーティングシステムがキー入力監視手段を制御することについては一切記載がない。 
　そうすると、相違点１に係る構成において、「前記キー入力監視手段により前記キーボードからのキー入力を検知すると前記タッチパッド入力通知Ｏｆｆ信号により前記スイッチを作動して前記タッチパッドからの入力を禁止状態にするとともに、前記タイマー手段の計時を開始し、そのタイマー手段の設定時間内に再びキー入力があると、前記タッチパッドからの入力禁止状態を維持したまま前記設定時間を更新して再び計時を開始し、前記設定時間内にキー入力が無いと、前記キー入力監視手段からの前記タッチパッド入力通知Ｏｎ信号により前記スイッチを作動して前記タッチパッドからの入力禁止状態を解除する」機能はオペレーティングシステムの機能ではなく、主体は不明であるが、オペレーティングシステム以外の入力装置の機能であると認められ、この点で引用発明と本願補正発明との間に実質的な相違はないということができる。 
　 
　そして、タッチパッドからの信号をどのように出力して利用するかは当業者が必要に応じて適宜になし得る設計的事項であるところ、特開平１１−２０２９９８号公報（段落【００１２】、【００２４】〜【００２６】図１には、座標検出装置からの不必要な座標データを無効化する制御部によりマウスドライバの信号を処理し、オペレーティングシステムにキーボードドライバ及びマウスドライバからの信号を出力することが記載されている。）、特開平１０−３３３８２０号公報（段落【０００５】〜【０００６】には、タッチパネルデバイスのドライバ部からの出力をコントロールプログラムにより解釈してオペレーティングシステムに出力することが記載されている。）、に記載されているように、タッチパッド（のデバイスドライバ）等からの信号を処理して、オペレーティングシステムに出力することは周知であるから、引用発明において、キーボード並びにスイッチを介したタッチパッドからの入力をオペレーティングシステムに行うようにして相違点１に係る本願補正発明のように構成することは周知技術に基づいて当業者が容易になし得ることである。 
　 
相違点２について 
　パソコン等の装置においてタイマー手段の計時をどのように行うかは設計的事項であって、オペレーティングシステムであるＷｉｎｄｏｗｓにおいて周知のタイマーメッセージによりタイマー手段の計時を行うことは当業者が適宜になし得ることである。 
　 
　そして、本願補正発明のように構成したことによる効果も引用発明及び周知技術から予測できる程度のものである。 
　 
　したがって、本願補正発明（請求項１に係る発明）は、引用発明及び周知技術に基づいて当業者が容易に発明をすることができたものであるから、特許法第２９条第２項の規定により特許出願の際独立して特許を受けることができないものである。　 
　 
（４）むすび 
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　 
３．本願発明について 
　平成１８年９月２８日付け手続補正は上記のとおり却下されたので、本願の請求項１を引用する請求項２に係る発明（以下、「本願発明」という。）は、平成１８年５月１５日付け手続補正書の特許請求の範囲の請求項１を引用する請求項２に記載された事項により特定される、以下のとおりのものである。 
「【請求項１】　多数の入力キーを有するキーボードと、 
　そのキーボードの手前に設置されたタッチパッドと、 
　前記キーボードからのキー入力を監視するキー入力監視手段と、 
　設定された時間を計時するタイマー手段と、 
　前記キーボード並びに前記タッチパッドから並列に入力され、前記キー入力監視手段により前記キーボードからのキー入力を検知すると前記タッチパッドからの入力を禁止状態にするとともに、前記タイマー手段の計時を開始し、そのタイマー手段の設定時間内に再びキー入力があると、前記タッチパッドからの入力禁止状態を維持したまま前記設定時間を更新して再び計時を開始し、前記設定時間内にキー入力が無いと、前記キー入力監視手段からの前記タッチパッド入力通知Ｏｎ信号により前記タッチパッドからの入力禁止状態を解除するように構成された制御手段とを備えていることを特徴とする入力装置。 
【請求項２】　請求項１記載の入力装置において、前記制御手段から定期的に送られるタイマーメッセージに同期して前記タイマー手段の計時が行なわれることを特徴とする入力装置。」 
　 
（１）引用刊行物 
　原査定の拒絶の理由に引用された引用刊行物及びその記載事項は、前記「２．（１）」に記載したとおりである。 
　 
（２）対比・判断 
　本願発明は、前記２．で検討した本願補正発明から「前記キー入力監視手段により前記キーボードからのキー入力を検知すると前記タッチパッドからの入力を禁止状態にするとともに、前記タイマー手段の計時を開始し、そのタイマー手段の設定時間内に再びキー入力があると、前記タッチパッドからの入力禁止状態を維持したまま前記設定時間を更新して再び計時を開始し、前記設定時間内にキー入力が無いと、前記キー入力監視手段からの前記タッチパッド入力通知Ｏｎ信号により前記タッチパッドからの入力禁止状態を解除するように構成された制御手段」を「前記キーボードからの前記キー入力を受理し、前記タッチパッドからの入力を、前記キー入力監視手段からのタッチパッド入力通知Ｏｎ／Ｏｆｆ信号によって作動するスイッチを介して受理し、前記キー入力監視手段により前記キーボードからのキー入力を検知すると前記タッチパッド入力通知Ｏｆｆ信号により前記スイッチを作動して前記タッチパッドからの入力を禁止状態にするとともに、前記タイマー手段の計時を開始し、そのタイマー手段の設定時間内に再びキー入力があると、前記タッチパッドからの入力禁止状態を維持したまま前記設定時間を更新して再び計時を開始し、前記設定時間内にキー入力が無いと、前記キー入力監視手段からの前記タッチパッド入力通知Ｏｎ信号により前記スイッチを作動して前記タッチパッドからの入力禁止状態を解除するように構成されたオペレーションシステム」と限定し、「前記制御手段から定期的に送られるタイマーメッセージに同期して」を「前記オペレーションシステムから送られるタイマーメッセージに同期して」と限定する補正を削除したものである。 
　そうすると、本願発明の構成要件を全て含みさらに限定を付したものに相当する本願補正発明が、前記「２．（３）」に記載したとおり、引用発明及び周知技術に基づいて、当業者が容易に発明をすることができたものであるから、本願発明も、同様の理由により、引用発明及び周知技術に基づいて、当業者が容易に発明をすることができたものである。 
　 
（３）むすび 
　以上のとおり、本願発明（請求項２に係る発明）は、引用発明及び周知技術に基づいて当業者が容易に発明をすることができたものである。 
　したがって、本願はその余の請求項について論及するまでもなく、特許法第２９条第２項の規定により特許を受けることができない。 
　 
　よって、結論のとおり審決する。